【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
プログラムであって、
印刷装置と通信する情報処理装置のコンピュータに、
前記印刷装置が所定の状態である場合に前記印刷装置が前記所定の状態であることを示す情報である状態情報を取得する取得ステップと、
前記プログラムが前記情報処理装置において起動しているとき、前記プログラムにより表示される画面における所定の操作をユーザから受け付ける受付ステップと、
前記印刷装置において実行される初期設定処理が完了している状態下で前記印刷装置が前記所定の状態である場合、前記印刷装置における前記所定の状態を解消するようユーザを促すための通知処理を、少なくとも前記所定の操作が受け付けられたことに基づいては、前記プログラムが前記情報処理装置において起動しているときであっても実行せず、前記情報処理装置におけるプリンタドライバのインストールのための処理を、前記所定の操作が受け付けられたことに基づいて実行する実行ステップと、
を実行させることを特徴とするプログラム。
【請求項２】
前記インストールのための処理は、前記印刷装置に対応するプリンタドライバを含み、前記プログラムと異なる少なくとも１つのプログラムを前記情報処理装置にインストールするための処理であり、
前記少なくとも１つのプログラムは、前記初期設定処理が前記印刷装置において完了しているか否かにかかわらず、前記印刷装置において発生しているエラーを通知するための処理を実行する機能を有することを特徴とする請求項１に記載のプログラム。
【請求項３】
印刷を実行させるための印刷指示を、前記印刷装置に送信する送信ステップをさらに実行させることを特徴とする請求項１に記載のプログラム。
【請求項４】
前記インストールのための処理が実行された後、前記印刷指示を前記印刷装置に送信するための所定の入力をユーザから受け付ける受け付けステップをさらに実行させ、
前記印刷指示を前記所定の入力が受け付けられたことに基づいて、前記印刷指示が前記印刷装置に送信されることを特徴とする請求項３に記載の制御方法。
【請求項５】
前記所定の入力が受け付けられ、且つ前記初期設定処理が完了している状態下で、前記印刷装置が前記所定の状態である場合、前記通知処理を実行する実行ステップをさらに実行させることを特徴とする請求項４に記載のプログラム。
【請求項６】
前記所定の入力が受け付けられ、前記通知処理が実行された後、前記印刷装置における前記所定の状態を前記ユーザが解消しないことを示す特定の入力をユーザから受け付ける入力受け付けステップと、
前記特定の入力が受け付けられた場合、前記印刷指示が前記印刷装置に送信されないよう制御する制御ステップと、をさらに実行させることを特徴とする請求項４又は５に記載のプログラム。
【請求項７】
前記印刷指示に基づいて前記印刷装置によって実行される印刷は、予め定められた印刷データに基づいて実行されるテスト印刷であることを特徴とする請求項３乃至６のいずれか１項に記載のプログラム。
【請求項８】
前記プログラムは、前記テスト印刷以外の印刷を前記印刷装置に指示しないプログラムであることを特徴とする請求項７に記載のプログラム。
【請求項９】
前記テスト印刷以外の印刷は、ユーザによって選択された画像データに基づく画像の印刷であることを特徴とする請求項８に記載のプログラム。
【請求項１０】
前記初期設定処理には、前記印刷装置が有する印刷部を移動させる処理が含まれることを特徴とする請求項１乃至９のいずれか１項に記載のプログラム。
【請求項１１】
前記初期設定処理には、前記印刷装置が有する印刷部にインクを充填させる処理が含まれることを特徴とする請求項１乃至１０のいずれか１項に記載のプログラム。
【請求項１２】
前記初期設定処理には、前記印刷装置が有する印刷部から吐出されるインクの位置を調整するレジ調整処理が含まれることを特徴とする請求項１乃至１１のいずれか１項に記載のプログラム。
【請求項１３】
前記初期設定処理には、前記印刷装置が有する印刷部をクリーニングする処理が含まれることを特徴とする請求項１乃至１２のいずれか１項に記載のプログラム。
【請求項１４】
前記初期設定処理は、前記印刷装置が管理する所定のフラグ情報が、前記初期設定処理が前記印刷装置において完了していないことを示す状態で、前記印刷装置の電源がオンされたことに基づいて実行されることを特徴とする請求項１乃至１３のいずれか１項に記載のプログラム。
【請求項１５】
前記通知処理は、前記印刷装置が前記所定の状態であることを通知するための画面を前記情報処理装置において表示する表示処理を含むことを特徴とする請求項１乃至１４のいずれか１項に記載のプログラム。
【請求項１６】
前記通知処理は、前記初期設定処理が前記印刷装置において完了していないことをユーザに前記情報処理装置において通知するための処理を含むことを特徴とする請求項１乃至１５のいずれか１項に記載のプログラム。
【請求項１７】
前記通知処理は、前記印刷装置における前記所定の状態を解消するための方法をユーザに通知するための処理を含むことを特徴とする請求項１乃至１６のいずれか１項に記載のプログラム。
【請求項１８】
前記印刷装置における前記所定の状態を解消するための方法をユーザに通知するための処理は、前記印刷装置における前記所定の状態を解消するための方法をユーザに通知するための画面をブラウザによって表示するためのボタンを表示する処理であることを特徴とする請求項１７に記載のプログラム。
【請求項１９】
前記初期設定処理が前記印刷装置において完了しているか否かを示す初期設定情報を取得する情報取得ステップを、さらに実行させ、
前記取得された前記初期設定情報が、前記初期設定処理が前記印刷装置において完了していないことを示し、且つ前記印刷装置が前記所定の状態である場合、前記通知処理が実行され、前記取得された前記初期設定情報が、前記初期設定処理が前記印刷装置において完了していることを示し、且つ前記印刷装置が前記所定の状態である場合、前記通知処理が実行されないことを特徴とする請求項１乃至１８のいずれか１項に記載のプログラム。
【請求項２０】
前記初期設定処理が前記印刷装置において完了している状態で、前記印刷装置における前記所定の状態は、前記情報処理装置と異なる他の装置が前記印刷装置に印刷を指示したことが原因で発生する状態であることを特徴とする請求項１乃至１９のいずれか１項に記載のプログラム。
【請求項２１】
前記初期設定処理が前記印刷装置において完了していない状態は、前記印刷装置が前記初期設定処理を実行している状態であることを特徴とする請求項１乃至２０のいずれか１項に記載のプログラム。
【請求項２２】
前記初期設定処理が完了していない状態下で、前記印刷装置が前記所定の状態でない場合、前記通知処理を少なくとも前記所定の操作が受け付けられたことに基づいては実行せず、前記インストールのための処理を、前記所定の操作が受け付けられたことに基づいて実行することを特徴とする請求項１乃至２１のいずれか１項に記載のプログラム。
【請求項２３】
前記所定の状態は、インクカートリッジが前記印刷装置に装着されていない状態を含むことを特徴とする請求項１乃至２２のいずれか１項に記載のプログラム。
【請求項２４】
前記所定の状態は、用紙が前記印刷装置に装着されていない状態を含むことを特徴とする請求項１乃至２３のいずれか１項に記載のプログラム。
【請求項２５】
前記所定の状態は、前記印刷装置のカバーが開いたままの状態を含むことを特徴とする請求項１乃至２４のいずれか１項に記載のプログラム。
【請求項２６】
前記プログラムは、前記情報処理装置のオペレーティングシステムと異なるプログラムであることを特徴とする請求項１乃至２５のいずれか１項に記載のプログラム。
【請求項２７】
前記初期設定処理が完了していない状態下で、前記印刷装置が前記所定の状態である場合、前記通知処理と前記情報処理装置におけるプリンタドライバのインストールのための処理が、前記所定の操作が受け付けられたことに基づいて実行されることを特徴とする請求項１乃至２６のいずれか１項に記載のプログラム。
【請求項２８】
前記通知処理は、前記印刷装置において前記所定の状態が発生していることを通知する処理であることを特徴とする請求項１乃至２７のいずれか１項に記載のプログラム。
【請求項２９】
前記通知処理は、前記所定の状態の種類に応じて異なる処理であることを特徴とする請求項１乃至２８のいずれか１項に記載のプログラム。
【請求項３０】
印刷装置と通信し、所定のプログラムを有する情報処理装置の制御方法であって、
前記印刷装置が所定の状態である場合に前記印刷装置が前記所定の状態であることを示す情報である状態情報を取得する取得ステップと、
前記所定のプログラムが前記情報処理装置において起動しているとき、前記所定のプログラムにより表示される画面における所定の操作をユーザから受け付ける受付ステップと、
前記印刷装置において実行される初期設定処理が完了している状態下で前記印刷装置が前記所定の状態である場合、前記印刷装置における前記所定の状態を解消するようユーザを促すための通知処理を、少なくとも前記所定の操作が受け付けられたことに基づいては、前記プログラムが前記情報処理装置において起動しているときであっても実行せず、前記情報処理装置におけるプリンタドライバのインストールのための処理を、前記所定の操作が受け付けられたことに基づいて実行する実行ステップと、
を有することを特徴とする制御方法。
【請求項３１】
印刷装置と通信し、所定のプログラムを有する情報処理装置であって、
前記印刷装置が所定の状態である場合に前記印刷装置が前記所定の状態であることを示す情報である状態情報を取得する取得手段と、
前記所定のプログラムが前記情報処理装置において起動しているとき、前記所定のプログラムにより表示される画面における所定の操作をユーザから受け付ける受付ステップと、
前記印刷装置において実行される初期設定処理が完了している状態下で前記印刷装置が前記所定の状態である場合、前記印刷装置における前記所定の状態を解消するようユーザを促すための通知処理を、少なくとも前記所定の操作が受け付けられたことに基づいては、前記プログラムが前記情報処理装置において起動しているときであっても実行せず、前記情報処理装置におけるプリンタドライバのインストールのための処理を、前記所定の操作が受け付けられたことに基づいて実行する実行手段と、
を有することを特徴とする情報処理装置。
【手続補正２】
【補正対象書類名】明細書
【補正対象項目名】０００７
【補正方法】変更
【補正の内容】
【０００７】
上述のような課題を解決するための本発明のプログラムは、プログラムであって、
印刷装置と通信する情報処理装置のコンピュータに、
前記印刷装置が所定の状態である場合に前記印刷装置が前記所定の状態であることを示す情報である状態情報を取得する取得ステップと、
前記プログラムが前記情報処理装置において起動しているとき、前記プログラムにより表示される画面における所定の操作をユーザから受け付ける受付ステップと、
前記印刷装置において実行される初期設定処理が完了している状態下で前記印刷装置が前記所定の状態である場合、前記印刷装置における前記所定の状態を解消するようユーザを促すための通知処理を、少なくとも前記所定の操作が受け付けられたことに基づいては、前記プログラムが前記情報処理装置において起動しているときであっても実行せず、前記情報処理装置におけるプリンタドライバのインストールのための処理を、前記所定の操作が受け付けられたことに基づいて実行する実行ステップと、
を実行させることを特徴とする。
【手続補正３】
【補正対象書類名】図面
【補正対象項目名】図６
【補正方法】変更
【補正の内容】
【図６】
2020021311.tif 000001
【手続補正４】
【補正対象書類名】図面
【補正対象項目名】図８
【補正方法】変更
【補正の内容】
【図８】
2020021311.tif 000002